(57)【要約】【課題】変換された情報を送信して利用する際に、変換により失われた情報を用いて適切な出力を得ること。【解決手段】本発明によれば、第１の情報を第２の情報へと変換する第１変換部と、第１変換部による変換により第１の情報から失われた損失情報に対応する制御情報を、第２の情報に重畳する重畳部と、第２の情報を送信する送信部と、送信部から送信された第２の情報を受信する受信部と、第２の情報から前記制御情報を抽出する抽出部と、抽出部により抽出された制御情報に基づいて第２の情報を第３の情報へと変換する第２変換部と、第３の情報を出力する出力部と、を備える信号処理システムが提供される。【選択図】図１
2008117485.tif 000002
【特許請求の範囲】
【請求項１】
第１の情報を第２の情報へと変換する第１変換部と、
前記第１変換部による変換により前記第１の情報から失われた損失情報に対応する制御情報を、前記第２の情報に重畳する重畳部と、
前記第２の情報を送信する送信部と、
前記送信部から送信された前記第２の情報を受信する受信部と、
前記第２の情報から前記制御情報を抽出する抽出部と、
前記抽出部により抽出された前記制御情報に基づいて、前記第２の情報を第３の情報へと変換する第２変換部と、
前記第３の情報を出力する出力部と、
を備えることを特徴とする、信号処理システム。
【請求項２】
前記第１変換部は、前記第１の情報である符号化オーディオ信号を復号して前記第２の情報であるマルチチャンネルリニアオーディオ信号に変換し、
前記重畳部は、前記符号化オーディオ信号に基づいて、前記マルチチャンネルリニアオーディオ信号のＬＦＥ信号の再生レベルを制御する制御情報を、前記マルチチャンネルリニアオーディオ信号に重畳し、
前記第２変換部は、前記制御情報に基づいて、前記マルチチャンネルリニアオーディオ信号内のＬＦＥ信号の再生レベルを調整し、前記第３の情報に変換する
ことを特徴とする、請求項１に記載の信号処理システム。
【請求項３】
前記重畳部は、前記制御信号を、前記第２の情報を送信する送信フォーマットの特定箇所に格納することを特徴とする、請求項１に記載の信号処理システム。
【請求項４】
前記重畳部は、前記第２変換部が前記第２の情報を前記第３の情報へと変換する際の制御内容そのものを、前記制御情報として前記第２の情報に重畳することを特徴とする、請求項１に記載の信号処理システム。
【請求項５】
前記重畳部は、前記第２変換部が前記第２の情報を前記第３の情報へと変換する際の制御内容を示す識別情報を、前記制御情報として前記第２の情報に重畳することを特徴とする、請求項１に記載の信号処理システム。
【請求項６】
前記制御情報は、前記第１の情報の符号化方式を識別する識別情報であることを特徴とする、請求項５に記載の信号処理システム。
【請求項７】
前記制御情報は、前記第１の情報が記録されている記録媒体の種類を識別する識別情報であることを特徴とする、請求項５に記載の信号処理システム。
【請求項８】
前記制御情報は、前記第１の情報に対応する放送方式の種類を識別する識別情報であることを特徴とする、請求項５に記載の信号処理システム。
【請求項９】
前記第１変換部は、前記第１の情報である高精細度ビデオ信号をダウンコンバートして、標準方式ビデオ信号に変換し、
前記重畳部は、元は高精細度ビデオ信号であることを示す制御情報を、前記標準方式ビデオ信号に重畳し、
前記第２変換部は、前記制御情報に基づいて前記標準方式ビデオ信号のノイズを除去し、前記第３の情報に変換する
ことを特徴とする、請求項１に記載の信号処理システム。
【請求項１０】
第１の情報を第２の情報へと変換する第１変換部と、
前記第１変換部による変換により前記第１の情報から失われた損失情報に対応する制御情報を、前記第２の情報に重畳する重畳部と、
前記第２の情報を信号受信装置に送信する送信部と、
を備えることを特徴とする、信号送信装置。
【請求項１１】
信号送信装置と通信可能な信号受信装置であって、
前記信号送信装置により送信された、第１の情報を第２の情報へと変換した際に前記第１情報から失われた損失情報に対応する制御情報が重畳された前記第２の情報を受信する受信部と、
前記第２の情報から前記制御情報を抽出する抽出部と、
前記抽出部により抽出された前記制御情報に基づいて前記第２の情報を第３の情報へと変換する第２変換部と、
前記第３の情報を出力する出力部と、
を備えることを特徴とする、信号受信装置。
【請求項１２】
コンピュータに、
第１の情報を第２の情報へと変換する第１変換機能と、
前記第１変換機能による変換により前記第１の情報から失われた損失情報に対応する制御情報を前記第２の情報に重畳する重畳機能と、
前記第２の情報を送信する送信機能と、
を実現させるためのプログラム。
【請求項１３】
コンピュータに、
第１の情報を第２の情報へと変換した際に前記第１の情報から失われた損失情報に対応する制御情報が重畳された前記第２の情報を受信する受信機能と、
前記第２の情報から前記制御情報を抽出する抽出機能と、
抽出された前記制御情報に基づいて前記第２の情報を第３の情報へと変換する第２変換機能と、
前記第３の情報を出力する出力機能と、
を実現させるためのプログラム。
【発明の詳細な説明】
【技術分野】
【０００１】
本発明は、信号処理システム、信号送信装置、信号受信装置およびプログラムに関する。
【背景技術】
【０００２】
近年、ＤＶＤ（Ｄｉｇｉｔａｌ  Ｖｅｒｓａｔｉｌｅ  Ｄｉｓｋ）、ＡＶアンプの普及により、一般家庭においても、映画で使用されているマルチチャンネル（サラウンド）音響が楽しめるようになってきた。
【０００３】
通常のビデオカメラにより撮影された映像を、上記のようなマルチチャンネル音響に対応したＡＶアンプを用いて再生した場合、通常のビデオカメラは２チャンネル分の音声信号しか記録しないため、臨場感に欠けるという問題があった。そこで、撮影によって得られる映像信号とマルチチャンネルの音声信号とを所定の記録媒体に記録する機能を備えた情報処理装置が提案されており（例えば、特許文献１参照。）、映像再生時の臨場感あふれる音響効果を得る試みがなされている。
【０００４】
【特許文献１】特開２００５−３１１６０４号公報
【発明の開示】
【発明が解決しようとする課題】
【０００５】
他方、映画等に使用されているマルチチャンネル音響は、主に、ドルビーやＤＴＳ（Ｄｉｇｉｔａｌ  Ｔｈｅａｔｅｒ  Ｓｙｓｔｅｍｓ）により圧縮されたビットストリームで提供され、このビットストリームの中には、多くのサブ情報が含まれている。このビットストリームを、例えばＤＶＤプレーヤがデジタル出力し、ＡＶアンプにてデコード・再生する場合には、ＩＥＣ  ６０９５８／６１９３７規格が使用されてきた。この規格は、リニアＰＣＭ（Ｌｉｎｅａｒ  Ｐｕｌｓｅ  Ｃｏｄｅ  Ｍｏｄｕｌａｔｉｏｎ）を伝送する際にはステレオ２チャンネルの伝送のみがサポートされており、ＤＶＤプレーヤは、オリジナルのビットストリームか、オリジナルのビットストリームをデコードして２チャンネルにダウンミックスしたリニアＰＣＭを伝送するかの２種類の方法を選択することが可能であった。
【０００６】
近年、ＩＥＥＥ１３９４やＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）の普及により、オリジナルのビットストリームがリニアＰＣＭであったとしても、マルチチャンネルのリニアＰＣＭとして伝送することが可能となった。しかしながら、オリジナルのビットストリームのサブ情報は、マルチチャンネル信号に重畳されていないため、ＡＶアンプにてデコード・再生する際に、適切な処理を行うことができないという問題があった。
【０００７】
そこで、本発明は、このような問題に鑑みてなされたもので、その目的は、変換された情報を送信して利用する際に、変換により失われた情報を用いて適切な出力を得ることが可能な、新規かつ改良された信号処理システム、信号送信装置、信号受信装置およびプログラムを提供することにある。
【課題を解決するための手段】
【０００８】
上記課題を解決するために、本発明の第１の観点によれば、第１の情報を第２の情報へと変換する第１変換部と、第１変換部による変換により第１の情報から失われた損失情報に対応する制御情報を第２の情報に重畳する重畳部と、第２の情報を送信する送信部と、送信部から送信された第２の情報を受信する受信部と、第２の情報から制御情報を抽出する抽出部と、抽出部により抽出された制御情報に基づいて第２の情報を第３の情報へと変換する第２変換部と、第３の情報を出力する出力部と、を備える信号処理システムが提供される。
【０００９】
かかる構成によれば、第１変換部は、第１の情報を第２の情報へと変換し、重畳部は、第１変換部による変換により第１の情報から失われた損失情報に対応する制御情報を第２の情報に重畳し、送信部は、制御情報が重畳された第２の情報を送信する。制御情報が重畳された第２の情報は受信部により受信され、抽出部は、制御情報が重畳された第２の情報から制御情報を抽出し、第２変換部は、抽出部により抽出された制御情報に基づいて、第２の情報を第３の情報へと変換する。変換された第３の情報は、出力部によって出力される。かかる信号処理システムでは、変換によって変換元の情報から失われる情報を送信する情報に重畳した上で送信することにより、受信した情報を改めて変換する際に、変換元の情報から失われる情報に基づいて、情報の変換を行うことができる。
【００１０】
上記の第１変換部は、第１の情報である符号化オーディオ信号を復号して第２の情報であるマルチチャンネルリニアオーディオ信号に変換し、上記重畳部は、符号化オーディオ信号に基づいて、マルチチャンネルリニアオーディオ信号のＬＦＥ（Ｌｏｗ  Ｆｒｅｑｕｅｎｃｙ  Ｅｎｈａｎｃｅｍｅｎｔ）信号の再生レベルを制御する制御情報をマルチチャンネルリニアオーディオ信号に重畳し、上記第２変換部は、制御情報に基づいて、マルチチャンネルリニアオーディオ信号内のＬＦＥ信号の再生レベルを調整し第３の情報に変換してもよい。かかる構成によれば、第２変換部は、マルチチャンネルリニアオーディオ情報に重畳されたＬＦＥ信号の再生レベルを制御する制御情報に基づいて、マルチチャンネルリニアオーディオ信号内のＬＦＥ信号の再生レベルを調整する。その結果、適切なＬＦＥ信号の再生レベルで、マルチチャンネルオーディオ信号を再生することができる。ここで、上記の符号化オーディオ信号とは、符号化されたオーディオ信号を意味する。
【００１１】
上記の重畳部は、制御信号を、第２の情報を送信する送信フォーマットの特定箇所に格納してもよい。かかる構成によれば、制御信号は、第２の情報を送信する送信フォーマットの特定箇所に格納されて送信されることとなる。その結果、新たに制御情報の格納箇所を設けることなく、制御情報を送信することができる。
【００１２】
上記の重畳部は、第２変換部が第２の情報を第３の情報へと変換する際の制御内容そのものを、制御情報として第２の情報に重畳してもよい。かかる構成によれば、第２変換部は、制御情報として第２の情報に重畳されていた制御内容に基づいて、第２の情報を第３の情報へと変換することができる。
【００１３】
上記の重畳部は、第２変換部が第２の情報を第３の情報へと変換する際の制御内容を示す識別情報を、制御情報として第２の情報に重畳してもよい。かかる構成によれば、第２変換部は、制御情報として第２の情報に重畳されていた識別情報に基づいて、第２の情報を第３の情報へと変換する際の制御内容を特定することができる。第２変換部は、特定した制御内容に基づいて、第２の情報を第３の情報へと変換することができる。
【００１４】
上記の制御情報は、第１の情報の符号化方式を識別する識別情報であってもよい。ここで、上記の符号化方式とは、第１の情報が記載されているデジタルデータの形式を表す情報を意味する。
【００１５】
また、上記の制御情報は、第１の情報が記録されている記録媒体の種類を識別する識別情報であってもよい。
【００１６】
さらに、上記の制御情報は、第１の情報に対応する放送方式の種類を識別する識別情報であってもよい。ここで、上記の放送方式の種類とは、ハイビジョン放送、地上波放送、衛星放送等といった、放送を提供する方式を意味する。
【００１７】
上記のような各種の制御情報を第２の情報に重畳して信号受信装置に送信することにより、信号受信装置は、第２の情報を適切に第３の情報へと変換することが可能となる。
【００１８】
上記の第１変換部は、第１の情報である高精細度ビデオ信号をダウンコンバートして、標準方式ビデオ信号に変換し、上記重畳部は、元は高精細度ビデオ信号であることを示す制御情報を、標準方式ビデオ信号に重畳し、上記第２変換部は、制御情報に基づいて標準方式ビデオ信号のノイズを除去し、第３の情報に変換してもよい。かかる構成によれば、第２変換部は、標準方式ビデオ信号に重畳された元は高精細度ビデオ信号であることを示す制御情報に基づいて、標準方式ビデオ信号のノイズを除去する。その結果、ノイズが除去された標準方式ビデオ信号を用いて、ビデオ信号を再生することができる。
【００１９】
上記課題を解決するために、本発明の第２の観点によれば、第１の情報を第２の情報へと変換する第１変換部と、第１変換部による変換により第１の情報から失われた損失情報に対応する制御情報を第２の情報に重畳する重畳部と、第２の情報を信号受信装置に送信する送信部と、を備える信号送信装置が提供される。
【００２０】
かかる構成によれば、第１変換部は、第１の情報を第２の情報へと変換し、重畳部は、第１変換部による変換により第１の情報から失われた損失情報に対応する制御情報を、第２の情報に重畳し、送信部は、制御情報が重畳された第２の情報を、信号受信装置へ送信する。その結果、変換によって第１の情報から失われた損失情報に対応する制御情報を、信号受信装置に提供することが可能となる。
【００２１】
上記課題を解決するために、本発明の第３の観点によれば、信号送信装置と通信可能な信号受信装置であって、信号送信装置により送信された、第１の情報を第２の情報へと変換した際に第１の情報から失われた損失情報に対応する制御情報が重畳された第２の情報を受信する受信部と、第２の情報から制御情報を抽出する抽出部と、抽出部により抽出された制御情報に基づいて、第２の情報を第３の情報へと変換する第２変換部と、第３の情報を出力する出力部と、を備える信号受信装置が提供される。
【００２２】
かかる構成によれば、受信部は、信号送信装置により送信された、第１の情報を第２の情報へと変換した際に第１の情報から失われた損失情報に対応する制御情報が重畳された第２の情報を、受信する。抽出部は、受信した第２の情報から、第１の情報から失われた損失情報に対応する制御情報を抽出し、第２変換部は、抽出された制御情報に基づいて、第２の情報を第３の情報へと変換する。出力部は、第３の情報を出力する。その結果、信号受信装置は、信号送信装置による変換によって失われた制御情報に基づいて、第２の情報を第３の情報へと変換し、第３の情報を再生することができる。
【００２３】
上記課題を解決するために、本発明の第４の観点によれば、コンピュータに、第１の情報を第２の情報へと変換する第１変換機能と、第１変換機能による変換により第１の情報から失われた損失情報に対応する制御情報を、第２の情報に重畳する重畳機能と、第２の情報を送信する送信機能と、を実現させるためのプログラムが提供される。
【００２４】
かかる構成によれば、コンピュータプログラムは、コンピュータが備える記憶部に格納され、コンピュータが備えるＣＰＵに読み込まれて実行されることにより、そのコンピュータを上記の信号送信装置として機能させる。また、コンピュータプログラムが記録された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００２５】
上記課題を解決するために、本発明の第５の観点によれば、コンピュータに、第１の情報を第２の情報へと変換した際に第１の情報から失われた損失情報に対応する制御情報が重畳された第２の情報を受信する受信機能と、第２の情報から制御情報を抽出する抽出機能と、抽出された制御情報に基づいて、第２の情報を第３の情報へと変換する第２変換機能と、第３の情報を出力する出力機能と、を実現させるためのプログラムが提供される。
【００２６】
かかる構成によれば、コンピュータプログラムは、コンピュータが備える記憶部に格納され、コンピュータが備えるＣＰＵに読み込まれて実行されることにより、そのコンピュータを上記の信号受信装置として機能させる。また、コンピュータプログラムが記録された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【発明の効果】
【００２７】
本発明によれば、変換された情報を送信して利用する際に、変換により失われた情報を用いて適切な処理を行い、情報を出力することが可能である。
【発明を実施するための最良の形態】
【００２８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２９】
（第１の実施形態）
以下に、本発明の第１の実施形態に係る信号処理システムについて、詳細に説明する。
【００３０】
図１は、本実施形態に係る信号処理システム１０を説明するための説明図である。信号処理システム１０は、例えば、ホームネットワーク１２と、信号送信装置２０と、信号受信装置３０と、を含む。
【００３１】
ホームネットワーク１２は、信号送信装置２０と信号受信装置３０を双方向通信または一方向通信可能に接続する通信回線網である。この回線網は、例えばＬＡＮ（Ｌｏｃａｌ  Ａｒｅａ  Ｎｅｔｗｏｒｋ）、Ｅｔｈｅｒｎｅｔ（登録商標）、ワイヤレスＬＡＮ等の専用回線網などで構成されており、有線／無線を問わない。また、信号送信装置２０は、ホームネットワーク１２を介さずに、例えば、ＵＳＢ（Ｕｎｉｖｅｒｓａｌ  Ｓｅｒｉａｌ  Ｂｕｓ）ポートや、ｉ．Ｌｉｎｋ等のＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート、ＲＳ−２３２Ｃポート、光オーディオ端子等で、信号受信装置３０と直接接続されてもよい。
【００３２】
記録媒体１４は、信号送信装置２０に、映像や音楽等の様々なコンテンツデータを提供する。記録媒体１４は、例えば、磁気ディスク、光ディスク、光磁気ディスク、または半導体メモリ等である。記録媒体１４は、例えば、ＣＤ（Ｃｏｍｐａｃｔ  Ｄｉｓｋ）メディア、ＳＡＣＤ（Ｓｕｐｅｒ  Ａｕｄｉｏ  ＣＤ）メディア、Ｈｉ−ＭＤメディア、ＤＶＤ（Ｄｉｇｉｔａｌ  Ｖｅｒｓａｔｉｌｅ  Ｄｉｓｋ）メディア、ＨＤ−ＤＶＤ（Ｈｉｇｈ  Ｄｅｆｉｎｉｔｉｏｎ−ＤＶＤ）メディア、Ｂｌｕ−ｒａｙ（登録商標）メディア、コンパクトフラッシュ（登録商標）（ＣｏｍｐａｃｔＦｌａｓｈ：ＣＦ）、メモリースティック、または、ＳＤメモリカード（Ｓｅｃｕｒｅ  Ｄｉｇｉｔａｌ  ｍｅｍｏｒｙ  ｃａｒｄ）等である。また、リムーバブル記録媒体１４は、例えば、非接触型ＩＣチップを搭載したＩＣカード（Ｉｎｔｅｇｒａｔｅｄ  Ｃｉｒｃｕｉｔ  ｃａｒｄ）または電子機器等であってもよい。
【００３３】
ここで、上記のコンテンツデータ（以下、「コンテンツ」と略記する。）は、例えば、音楽、講演、ラジオ番組等の音声データからなる音声（Ａｕｄｉｏ）コンテンツや、映画、テレビジョン番組、ビデオプログラム等の映像データおよび音声データからなるビデオ（Ｖｉｄｅｏ）コンテンツなど、任意のコンテンツであってよい。
【００３４】
通信網１６は、本実施形態に係る信号処理システム１０とコンテンツ提供装置１８を双方向通信又は一方向通信可能に接続する通信回線網である。この通信網は、例えば、インターネット、電話回線網、衛星通信網、同報通信路等の公衆回線網や、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）、Ｅｔｈｅｒｎｅｔ（登録商標）、ワイヤレスＬＡＮ等の専用回線網などで構成されており、有線／無線を問わない。また、通信網１６は、ホームネットワークであってもよい。また、信号処理システム１０は、通信網１６を介さずに、例えば、ＵＳＢ（Ｕｎｉｖｅｒｓａｌ  Ｓｅｒｉａｌ  Ｂｕｓ）ポートや、ｉ．Ｌｉｎｋ等のＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート、ＲＳ−２３２Ｃポート、光オーディオ端子等で、コンテンツ提供装置１８と直接接続されてもよい。
【００３５】
コンテンツ提供装置１８は、本実施形態に係る信号送信装置２０に、映像や音楽等の様々なコンテンツを提供する装置である。コンテンツ提供装置１８は、例えば、コンテンツ提供サーバであってもよいし、放送局等であってもよい。
【００３６】
信号送信装置２０は、記録媒体１４やコンテンツ提供装置１８から提供されたコンテンツについて、コンテンツのファイル形式等の変換を行うとともに、信号受信装置３０に対して、変換後のコンテンツを送信する。また、信号送信装置２０は、セルフレコーディング（自己録音、録画等）やリッピング（ｒｉｐｐｉｎｇ）などによって、新規にコンテンツを作成して、記憶部に記憶することも可能である。なお、セルフレコーディングとは、信号送信装置２０に付随して設けられた撮像装置／集音装置によって撮影／集音した映像／音声を、デジタルデータとして記録することをいう。また、リッピングとは、音楽ＣＤ、ビデオＤＶＤ等の記録媒体に記録されているデジタルコンテンツ（音声データ／映像データ等）を抽出し、コンピュータで処理可能なファイル形式に変換して、記憶部に記憶することをいう。
【００３７】
信号送信装置２０は、例えば、パーソナルコンピュータ（ＰＣ）、携帯型音楽プレーヤ、ＡＶコンポ、データ再生装置（ＤＶＤ／ＨＤＤプレーヤ等）、テレビジョン、ラジオ等の情報家電などで構成可能である。
【００３８】
信号受信装置３０は、信号送信装置２０から送信された変換後のコンテンツを受信するとともに、出力する装置である。信号受信装置３０は、例えば、ＡＶアンプ付スピーカ、ヘッドセット、イヤフォン等で構成可能である。
【００３９】
（信号送信装置２０の構成）
続いて、図２を参照しながら、本実施形態に係る信号送信装置２０について、詳細に説明する。図２は、本実施形態に係る信号送信装置２０を説明するためのブロック図である。
【００４０】
信号送信装置２０は、例えば、記憶部２０１と、制御部２０３と、送信部２０９と、を備える。
【００４１】
記憶部２０１は、記録媒体１４や通信網１６から提供されたコンテンツを記憶する。また、記憶部２０１には、コンテンツデータの変換等に用いる制御情報や、コンテンツのファイル形式等に関する情報等を含む制御情報データが、データベースとして記憶されている。また、記憶部２０１には、上記の情報以外にも、信号送信装置２０が処理を行う際に記憶する必要が生じた各種のパラメータや、処理の途中経過に生成されたデータ等の各種データを、記憶することが可能である。また、信号送信装置２０を制御する各種のプログラム等を記憶することも可能である。制御部２０３および送信部２０９は、必要に応じて、記憶部２０１に対して、自由にデータの読み出し、書き込みを行うことが可能である。
【００４２】
上記の記憶部２０１は、例えば、各種の記憶媒体で構成される。この記録媒体の例としては、例えば、ＨＤＤ（Ｈａｒｄ  Ｄｉｓｋ  Ｄｒｉｖｅ）やフレキシブルディスク等の磁気ディスク、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性半導体メモリ、ＣＤ−Ｒ（Ｃｏｍｐａｃｔ  Ｄｉｓｋ  Ｒｅｃｏｒｄａｂｌｅ）／ＲＷ（ＲｅＷｒｉｔａｂｌｅ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）／ＲＷ／＋Ｒ／＋ＲＷ／ＲＡＭ、ＢＤ（Ｂｌｕ−Ｒａｙ  Ｄｉｓｃ（登録商標））―Ｒ／ＢＤ−ＲＥなどの光ディスク、ＭＯ（Ｍａｇｎｅｔｏ  Ｏｐｔｉｃａｌ）ディスクなどの光磁気ディスク等を挙げることができる。また、この記憶媒体は、信号送信装置２０に着脱可能なリムーバブル記憶媒体とすることもできる。
【００４３】
制御部２０３は、例えば、中央演算処理装置（ＣＰＵ）、ＲＯＭ、ＲＡＭ等で構成され、ＲＯＭや記憶部２０１に格納された各種プログラムに従って動作し、信号送信装置２０の動作全般を制御する。制御部２０３は、例えば、第１変換部２０５と、重畳部２０７とを更に備える。
【００４４】
第１変換部２０５は、第１の情報であるコンテンツデータを、信号受信装置３０に送信するデータである第２の情報へと変換する。第１変換部２０５は、第１の情報を第２の情報へと変換する際に、記憶部２０１に記憶されている制御情報データを参照しながら、第１の情報のファイル形式や制御情報について判断し、第２の情報へと変換する。第２の情報のファイル形式等は、信号送信装置２０において予め定められたファイル形式等であってもよく、信号送信装置２０が使用可能なファイル形式等の中から、信号送信装置２０の使用者が任意に選択してもよい。また、第１変換部は、変換によって生成された第２の情報を、記憶部２０１に記憶してもよい。
【００４５】
上記の第１の情報は、例えば、ＡＣ３（Ａｕｄｉｏ  Ｃｏｄｅ  ｎｕｍｂｅｒ  ３）形式やＤＴＳ形式でデータが記載されたビデオコンテンツ、高精細度ビデオ信号で記録されたビデオコンテンツ等の動画コンテンツや、ＤＶＤ−Ａｕｄｉｏ、ＳＡＣＤ等のミュージックコンテンツであってもよい。また、上記の第２の情報は、圧縮信号であってもよく、例えばマルチチャンネル送信のための非圧縮信号であってもよい。マルチチャンネル送信のための非圧縮信号の例として、例えば、マルチチャンネルリニア信号を挙げることができる。
【００４６】
重畳部２０７は、第１変換部２０５による変換により、第１の情報であるコンテンツデータから失われた損失情報に対応する制御情報を、第１変換部による変換により生成された第２の情報に対して重畳する。この重畳部２０７は、例えば、第１の情報から失われた損失情報を抽出する損失情報抽出機能と、抽出された損失情報に対応する制御情報を第２の情報に重畳する制御情報重畳機能と、を備える。
【００４７】
重畳部２０７の損失情報抽出機能は、記憶部２０１に記憶されている制御情報データを参照しながら、第１の情報に含まれる内容と第２の情報に含まれる内容とを比較して、第１変換部２０５による変換により第１の情報から失われた損失情報を抽出する。続いて、重畳部２０７の制御情報重畳機能は、損失情報抽出機能が抽出した損失情報について、記憶部２０１に記憶された制御情報データを参照しながら、損失情報に関する制御情報を生成し、第２の情報の所定の箇所に格納する。損失情報に対応する制御情報が格納される箇所は、例えば、第２の情報を信号受信装置に送信する送信フォーマットの特定箇所であってもよい。また、送信フォーマットの特定箇所は、例えば、通常は使用されていない送信フォーマットのデータ領域であってもよい。
【００４８】
ここで、上記のような、変換により第１の情報から失われる損失情報は、例えば、第１の情報から第２の情報へとファイル形式等の変換が行われた際に、第１の情報から損失する制御情報等である。第１の情報から損失する制御情報の例としては、例えば、ＬＦＥ信号の再生レベルを表す制御情報、第１の情報がマルチチャンネル信号であったことを表す制御情報、第１の情報の符号化方式を識別する識別情報、第１の情報が記録されている記録媒体の種類を識別する識別情報、第１の情報に対応する放送方式の種類を識別する識別情報、マルチチャンネル信号における特定のスピーカの配置情報等がある。
【００４９】
ここで、上記の符号化方式とは、コンテンツを圧縮する方式の意味である。この符号化方式は、動画コンテンツであれば、例えば、ＡＣ３、ＤＴＳ方式、ＭＰＥＧ（Ｍｏｖｉｎｇ  Ｐｉｃｔｕｒｅ  Ｅｘｐｅｒｔｓ  Ｇｒｏｕｐ）、ＷＭＶ（Ｗｉｎｄｏｗｓ  Ｍｅｄｉａ  Ｖｉｄｅｏ）等があり、ミュージックコンテンツであれば、例えば、ＤＳＴ（Ｄｉｒｅｃｔ  Ｓｔｒｅａｍ  Ｔｒａｎｓｆｅｒ）、ＡＴＲＡＣ（Ａｄａｐｔｉｖｅ  ＴＲａｎｓｆｏｒｍ  Ａｃｏｕｓｔｉｃ  Ｃｏｄｉｎｇ）、ＡＴＲＡＣ３、ＭＰ３（ＭＰＥＧ  Ａｕｄｉｏ  Ｌａｙｅｒ−３）、ＡＡＣ（Ａｄｖａｎｃｅｄ  Ａｕｄｉｏ  Ｃｏｄｉｎｇ）、ＷＭＡ（Ｗｉｎｄｏｗｓ  Ｍｅｄｉａ  Ａｕｄｉｏ）等がある。
【００５０】
また、上記の記録媒体の種類としては、例えば、ＣＤメディア、ＳＡＣＤメディア、Ｈｉ−ＭＤメディア、ＤＶＤメディア、ＨＤ−ＤＶＤメディア、Ｂｌｕ−ｒａｙ（登録商標）メディア等を挙げることができる。
【００５１】
また、上記の放送方式の種類としては、例えば、ハイビジョン放送、地上波放送、衛星放送等を挙げることができる。
【００５２】
重畳部２０７は、信号受信装置３０が受信した情報を第３の情報へと変換する際の制御内容そのものを、上記の損失情報として第２の情報へ重畳してもよく、信号受信装置３０が受信した情報を第３の情報へと変換する際の制御内容を示す識別情報を、上記の損失情報として第２の情報へ重畳してもよい。制御内容そのものが第２の情報へ重畳される場合としては、例えば、当該制御内容が、第２の情報を受信する全ての信号受信装置３０において共通して行われる制御に関するものである場合がある。また、制御内容を示す識別情報が第２の情報へ重畳される場合としては、例えば、当該制御内容が、第２の情報を受信する一部の信号受信装置３０において行われる制御に関するものである場合がある。
【００５３】
なお、重畳部２０７は、抽出した損失情報に対応する制御情報や制御情報が重畳された第２の情報を、記憶部２０１に記憶してもよい。
【００５４】
送信部２０９は、制御情報が重畳された第２の情報を、信号受信装置３０に対して送信する。制御情報が重畳された第２の情報は、ホームネットワーク１２を介して信号受信装置３０に送信される。また、信号受信装置３０が信号送信装置２０に直接接続されている場合には、制御情報が重畳された第２の情報は、信号受信装置３０が信号送信装置２０に接続されている接続ポート等を介して、信号受信装置３０に直接送信される。
【００５５】
（信号受信装置３０の構成）
続いて、図３を参照しながら、本実施形態に係る信号受信装置３０について、詳細に説明する。図３は、本実施形態に係る信号受信装置３０を説明するためのブロック図である。
【００５６】
信号受信装置３０は、例えば、受信部３０１と、制御部３０３と、記憶部３０９と、出力部３１１と、を備える。
【００５７】
受信部３０１は、信号送信装置２０から送信された、制御情報が重畳された第２の情報を受信して、制御部３０３へと伝送する。また、受信部３０１が受信した第２の情報は、記憶部３０９に記憶されてもよい。
【００５８】
制御部３０３は、例えば、中央演算処理装置（ＣＰＵ）、ＲＯＭ、ＲＡＭ等で構成され、ＲＯＭや記憶部３０９に格納された各種プログラムに従って動作し、信号受信装置３０の動作全般を制御する。制御部３０３は、例えば、第２変換部３０５と、抽出部３０７とを更に備える。
【００５９】
第２変換部３０５は、受信部３０１が受信した第２の情報を、抽出部３０７が抽出した制御情報と記憶部３０９に記憶されている制御情報データとに基づいて、第３の情報へと変換する。ここで、第３の情報とは、信号受信装置３０の出力部３１１が出力可能な情報である。変換により生成される第３の情報のファイル形式等は、信号受信装置３０において予め定められたファイル形式等であってもよく、当該信号受信装置３０が使用可能なファイル形式等の中から信号受信装置３０の使用者が任意に選択してもよい。また、第２変換部は、変換によって生成された第３の情報を、記憶部３０９に記憶してもよい。
【００６０】
抽出部３０７は、記憶部３０９に記憶されている制御情報データを参照しながら、受信部３０１が受信した第２の情報を判断するとともに、この第２の情報から、制御情報を抽出する。また、第２の情報から制御情報を抽出した後は、抽出部３０７は、抽出した制御情報を第２変換部３０５に通知する。また、抽出部３０７は、抽出した制御情報を記憶部３０９に記憶してもよい。
【００６１】
記憶部３０９は、コンテンツデータの変換等に用いる制御情報や、コンテンツのファイル形式等に関する情報等を含む制御情報データを、データベースとして記憶する。また、記憶部３０９には、上記の情報以外にも、信号受信装置３０が処理を行う際に記憶する必要が生じた各種のパラメータや、処理の途中経過に生成されたデータ等の各種データや、信号受信装置３０を制御する各種のプログラム等を記憶することも可能である。さらに、記憶部３０９は、信号受信装置３０が受信した第２の情報や、第２変換部３０５の変換により生成した第３の情報を記憶してもよい。なお、受信部３０１、制御部３０３および出力部３１１は、必要に応じて、記憶部３０９に対して、自由にデータの読み出し、書き込みを行うことが可能である。
【００６２】
出力部３１１は、第２変換部３０５により生成された第３の情報を、信号受信装置３０が備える出力機能を介して、出力する。ここで、信号受信装置３０が受信した第２の情報がビデオコンテンツである場合には、出力部３１１は、信号受信装置３０が備える画像表示機能と音声出力機能を介して、第３の情報を出力する。また、信号受信装置３０が受信した第２の信号がミュージックコンテンツである場合には、出力部３１１は、信号受信装置３０が備える音声出力機能を介して、第３の情報を出力する。
【００６３】
以上、本実施形態に係る信号送信装置２０および信号受信装置３０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【００６４】
（具体例１：第１の情報が符号化オーディオ信号である場合）
続いて、上記の第１の情報が符号化オーディオ信号である場合を例にとって、本実施形態に係る信号送信装置２０と信号受信装置３０の動作について、詳細に説明する。以下に示す具体例１では、信号送信装置２０がＤＶＤプレーヤであり、信号受信装置３０がＡＶアンプ付スピーカである場合について説明するが、本発明に係る信号送信装置２０および信号受信装置３０は、以下に示す例に限定されない。
【００６５】
近年、ＩＥＥＥ１３９４やＨＤＭＩの普及により、非圧縮データであるリニアＰＣＭを用いた場合でも、マルチチャンネルリニアオーディオ信号として伝送することが可能となった。しかしながら、オリジナルのビットストリームのサブ情報は、マルチチャンネル信号に重畳されていない。また、マルチチャンネルリニアオーディオ信号での伝送を利用して、ＤＶＤ−ＡＵＤＩＯは、映画用ではない音楽用の信号を送出している。このようなマルチチャンネルの音楽信号の伝送形態は、リニアＰＣＭ以外にＳＡＣＤで使用されているＤＳＤ（Ｄｉｒｅｃｔ  Ｓｔｒｅａｍ  Ｄｉｇｉｔａｌ）信号を伝送するためのＯｎｅ  Ｂｉｔ  Ａｕｄｉｏ信号も存在する。
【００６６】
ここで、映画用のＬＦＥ信号は、再生時にアナログ領域において＋１０ｄＢアップされることを想定してコンテンツが作成されているのに対して、音楽用マルチチャンネルの場合には±０ｄＢのままであり、両者を同一のマルチチャンネル伝送形式を使用してＤＶＤプレーヤからＡＶアンプに伝送した場合、区別がつかないこととなる。
【００６７】
このような現象は、ＩＥＥＥ１３９４を用いたコンテンツ送信の場合には、コンテンツの送信側とコンテンツの受信側において、コンテンツの信号の形式が１対１で決定されており、大きな問題とはならない。しかしながら、ＨＤＭＩは、汎用のマルチチャンネル信号であるために、上記のような第１の情報に固有の信号が送信されず、送信されたデータを再生する際に、上記のような問題が生じうる。
【００６８】
以下では、図４〜図６を参照しながら、本具体例に係る信号送信装置２０と信号受信装置３０の動作について説明する。図４は、本具体例に係る信号送信装置２０が、ＬＦＥ信号に関する制御情報を重畳して、コンテンツの送信を行う場合を説明するための流れ図である。
【００６９】
図４に示した流れ図を説明するに先立ち、本具体例に係る信号送信装置２０には、ＤＶＤメディアから送信するコンテンツが提供され、記憶部２０１に記憶されているものとする。
【００７０】
まず、信号送信装置２０の第１変換部２０５は、記憶部２０１に記憶されているコンテンツを取得して、コンテンツデータを、マルチチャンネルリニアオーディオ信号であるリニアＰＣＭ信号へと変換する（ステップＳ１０１）。ＤＶＤメディアから提供されるコンテンツは、例えば、ＡＣ３形式でデータが記載されているため、第１変換部２０５は、まず、記憶部２０１に記憶されている制御情報データを参照して、ＡＣ３形式という符号化方法の形式に関する情報を取得する。続いて、第１変換部２０５は、ＡＣ３形式で記載されているデータを、記憶部２０１から取得した制御情報データに基づいて復号する。次に、第１変換部２０５は、記憶部２０１に記憶されている制御情報データを参照して、マルチチャンネルリニアＰＣＭ信号形式に関する情報を取得し、取得した制御情報データに基づき、復号化したコンテンツをマルチチャンネルリニアＰＣＭ信号へと変換する。マルチチャンネルリニアＰＣＭ信号への変換が完了すると、第１変換部２０５は、生成したマルチチャンネルリニアＰＣＭ信号形式のコンテンツを、記憶部２０１に一時記憶する。
【００７１】
続いて、信号送信装置２０の重畳部２０７は、記憶部２０１に記憶されている制御情報データを参照しながら、第１の情報であるＡＣ３形式のデータと、第２の情報であるマルチチャンネルリニアＰＣＭ信号形式のデータとを比較して、第１変換部２０５による変換によってＡＣ３形式のデータから損失した損失情報を抽出する。比較の結果、重畳部２０７はＬＦＥ信号の再生レベルに関する制御情報が失われていることを認識し、このＬＦＥ信号の再生レベルに関する制御情報を、第２の情報であるマルチチャンネルリニアＰＣＭ信号形式のデータに重畳することを行う。
【００７２】
重畳部２０７は、まず、第１の情報であるコンテンツが、映画用コンテンツであるか否かを判定する（ステップＳ１０３）。重畳部２０７は、例えば、コンテンツのファイル形式やコンテンツデータのフォーマットに記載されている情報等を記憶部２０１に記憶されている制御情報データと対比しながら、判定を行う。第１の情報であるコンテンツが映画用コンテンツである旨が明らかとなると、重畳部２０７は、ＬＦＥ信号制御情報として、ＬＦＥ信号を＋１０ｄＢする旨を表す情報を、マルチチャンネルリニアＰＣＭ信号に重畳する（ステップＳ１０５）。制御情報の重畳が終了すると、重畳部２０７は、制御情報が重畳されたマルチチャンネルリニアＰＣＭ信号を記憶部２０１へと記憶するとともに、送信部２０９へと伝送する。
【００７３】
また、コンテンツが映画用コンテンツではない旨が明らかとなると、重畳部２０７は、引き続き、コンテンツが音楽コンテンツであるか否かを判定する（ステップＳ１０７）。この判定に際しても、重畳部２０７は、例えば、コンテンツのファイル形式や、コンテンツデータのフォーマットに記載されている情報等を参照しながら、判定を行うことが可能である。第１の情報であるコンテンツが音楽コンテンツである旨が明らかとなると、重畳部２０７は、ＬＦＥ信号制御情報として、ＬＦＥ信号を±０ｄＢする旨を表す情報を、マルチチャンネルリニアＰＣＭ信号に重畳する（ステップＳ１０９）。制御情報の重畳が終了すると、重畳部２０７は、制御情報が重畳されたマルチチャンネルリニアＰＣＭ信号を記憶部２０１へと記憶するとともに、送信部２０９へと伝送する。
【００７４】
さらに、コンテンツが映画用コンテンツでも音楽コンテンツでもない旨が明らかとなると、重畳部２０７は、ＬＦＥ信号制御情報として、ＬＦＥ信号再生レベルは不明である旨を表す情報を、マルチチャンネルリニアＰＣＭ信号に重畳する（ステップＳ１１１）。制御情報の重畳が終了すると、重畳部２０７は、制御情報が重畳されたマルチチャンネルリニアＰＣＭ信号を記憶部２０１へと記憶するとともに、送信部２０９へと伝送する。
【００７５】
ここで、ＬＦＥ信号再生レベルを表す情報として、重畳部２０７は、ＬＦＥ信号再生レベルに関する制御情報を直接マルチチャンネルリニアＰＣＭ信号の特定箇所に格納する。
【００７６】
【表１】
2008117485.tif 000003
【００７７】
上記の２ビットの情報のうち、不明を表す「０，０」のデータは、過去に送信されたコンテンツとの互換性を担保するためにも用いられ、実際の処理は、信号受信装置３０であるＡＶアンプ付スピーカに任せる処理となる。また、「１，１」が表すデータは、リザーブとして確保される部分であり、上記のＬＦＥ信号再生レベルとして、新たな設定を送信する際に用いることが可能である。
【００７８】
上記のようなＬＦＥ信号制御情報が格納される領域は、図５に示したように、例えばコンテンツの送信フォーマットの特定の箇所である。第１変換部２０５により生成されたマルチチャンネルリニアＰＣＭ信号が、ＨＤＭＩを介して送信される場合には、上記のＬＦＥ信号制御情報は、例えば、ＣＥＡ−８６１のＡｕｄｉｏ  ＩｎｆｏＦｒａｍｅの中に格納される。格納される箇所としては、図５（ａ）に示したような「Ｒｅｓｅｒｖｅｄ」として確保されている領域を使用することができる。また、マルチチャンネルリニアＰＣＭ信号が、ＩＥＥＥ１３９４を介して送信される場合には、上記のＬＦＥ信号制御情報は、例えば、Ａｎｃｉｌｌａｒｙ  Ｄａｔａの中に格納される。格納される箇所としては、図５（ｂ）において「ｘ」で示した領域を使用することができる。
【００７９】
以上のようにして、ＬＦＥ信号制御情報が重畳されたマルチチャンネルリニアＰＣＭ信号は、信号送信装置２０の送信部２０９によって、信号受信装置３０に送信される（ステップＳ１１３）。
【００８０】
続いて、図６を参照しながら、本具体例に係る信号受信装置３０の動作について、詳細に説明する。図６は、本具体例に係る信号受信装置が、ＬＦＥ信号に関する制御情報が重畳されたコンテンツの出力を行う場合を説明するための流れ図である。
【００８１】
信号受信装置３０であるＡＶアンプ付スピーカの受信部３０１は、まず、信号送信装置２０であるＤＶＤプレーヤから送信されたマルチチャンネルリニアＰＣＭ信号を受信する（ステップＳ２０１）。続いて、受信部３０１は、受信したマルチチャンネルリニアＰＣＭ信号を記憶部３０９に記憶するとともに、第２変換部３０５と抽出部３０７とに伝送する。
【００８２】
続いて、抽出部３０７は、記憶部３０９に記憶されている制御情報データを参照しながら受信部より伝送されたマルチチャンネルリニアＰＣＭ信号を解析して、マルチチャンネルリニアＰＣＭ信号に重畳されている制御情報を抽出する（ステップＳ２０３）。本具体例の場合、抽出部３０７は、マルチチャンネルリニアＰＣＭ信号から、ＬＦＥ信号制御情報を抽出することとなる。制御情報を抽出した後は、抽出部３０７は、抽出した制御情報を記憶部３０９に記憶するとともに、第２変換部３０５へと伝送する。
【００８３】
次に、第２変換部３０５は、受信部３０１から伝送されたマルチチャンネルリニアＰＣＭ信号を、抽出部３０７から伝送された制御情報に基づいて変換する（ステップＳ２０５）。本具体例の場合、第２変換部３０５は、抽出部３０７により抽出されたＬＦＥ信号制御情報に基づいて、マルチチャンネルリニアＰＣＭ信号のＬＦＥ信号の再生レベルを調整し、ＬＦＥ信号の再生レベルが調整されたマルチチャンネルリニアＰＣＭ信号へと変換する。変換が完了すると、第２変換部３０５は、ＬＦＥ信号の再生レベルが調整されたマルチチャンネルリニアＰＣＭ信号を記憶部３０９に記憶するとともに、出力部３１１へと伝送する。
【００８４】
最後に、出力部３１１は、第２変換部が生成した第３の情報であるマルチチャンネルリニアＰＣＭ信号を再生し、信号受信装置３０の外部へ出力する（ステップＳ２０７）。本具体例の場合では、ＬＦＥ信号の再生レベルが調整されたマルチチャンネルリニアＰＣＭ信号が、複数のスピーカを介して、信号受信装置３０であるＡＶアンプ付スピーカの外部に出力される。
【００８５】
以上のように、信号送信装置２０は、デジタル伝送路であるホームネットワーク１２に送出される信号に、ＬＦＥ再生レベルを明示する情報を重畳して送信し、信号受信装置３０は、重畳されたＬＦＥ再生レベルを明示する情報に基づいて正しいＬＦＥ信号再生レベルに設定することにより、コンテンツ作成時の意図どおりのＬＦＥ再生レベルバランスを実現することが可能である。
【００８６】
（具体例２：マルチチャンネルオーディオデータをダウンコンバートして送信する場合）
続いて、具体例２として、第１の情報がマルチチャンネルオーディオデータであり、このマルチチャンネルオーディオデータを、ステレオオーディオデータにダウンコンバートして送信する場合について、簡単に説明する。
【００８７】
以下の説明に先立ち、本具体例に係る信号送信装置２０には、マルチチャンネルオーディオデータが記憶部２０１に記憶されているものとする。
【００８８】
まず、信号送信装置２０の第１変換部２０５は、記憶部２０１に記憶されているマルチチャンネルオーディオデータを取得し、マルチチャンネルオーディオデータを、記憶部２０１に記憶されている制御情報データを参照しながらステレオオーディオデータへとダウンコンバートする。ステレオオーディオデータへの変換が完了すると、第１変換部２０５は、生成したステレオオーディオデータを、記憶部２０１に一時記憶する。
【００８９】
続いて、信号送信装置２０の重畳部２０７は、記憶部２０１に記憶されている制御情報データを参照しながら、第１の情報であるマルチチャンネルオーディオデータと、第２の情報であるステレオオーディオデータとを比較して、第１変換部２０５による変換によってマルチチャンネルオーディオデータから損失した損失情報を抽出する。比較の結果、重畳部２０７は変換前のオリジナルデータがマルチチャンネルオーディオデータである旨の情報が失われていることを認識する。続いて、重畳部２０７は、変換前のオリジナルデータがマルチチャンネルオーディオデータである旨の損失情報を、ステレオオーディオデータの送信フォーマット中に重畳する。損失情報の重畳が終了すると、重畳部２０７は、損失情報が重畳されたステレオオーディオデータを記憶部２０１へと記憶するとともに、送信部２０９へと伝送する。
【００９０】
続いて、損失情報が重畳されたステレオオーディオデータは、信号送信装置２０の送信部２０９によって、信号受信装置３０に送信される。
【００９１】
信号受信装置３０の受信部３０１は、まず、信号送信装置２０から送信されたステレオオーディオデータを受信する。続いて、受信部３０１は、受信したステレオオーディオデータを記憶部３０９に記憶するとともに、第２変換部３０５と抽出部３０７とに伝送する。
【００９２】
続いて、抽出部３０７は、記憶部３０９に記憶されている制御情報データを参照しながら受信部より伝送されたステレオオーディオデータを解析して、ステレオオーディオデータに重畳されている損失情報を抽出する。本具体例の場合、抽出部３０７は、ステレオオーディオデータから、オリジナルデータがマルチチャンネルオーディオデータである旨の情報を抽出することとなる。情報を抽出した後は、抽出部３０７は、抽出した情報を記憶部３０９に記憶するとともに、第２変換部３０５へと伝送する。
【００９３】
次に、第２変換部３０５は、受信部３０１から伝送されたステレオオーディオデータを、抽出部３０７から伝送された情報に基づいて変換することを試みる。本具体例の場合、抽出部３０７により抽出された情報がオリジナルデータの信号形式を示す情報だけであるため、第２変換部３０５は、ステレオオーディオデータの変換は行わずに出力部３１１へと伝送する。
【００９４】
最後に、出力部３１１は、ステレオオーディオデータを再生し、信号受信装置３０の外部へ出力する。本具体例の場合では、ステレオオーディオデータがスピーカを介して信号受信装置３０の外部に出力されるとともに、オリジナルデータはマルチチャンネルオーディオデータである旨の表示が、信号受信装置３０の画像表示機能を介して表示されることとなる。
【００９５】
以上のように、信号送信装置２０は、デジタル伝送路であるホームネットワーク１２に送出される信号に、オリジナルデータがマルチチャンネルオーディオデータである旨の情報を重畳して送信し、信号受信装置３０は、オリジナルデータがマルチチャンネルオーディオデータである旨の情報を表示しながらコンテンツを再生することが可能となる。
【００９６】
（具体例３：第１の情報が高精細度ビデオ信号である場合）
続いて、具体例３として、第１の情報が高精細度ビデオ信号からなる画像コンテンツであり、この高精細度ビデオ信号からなる画像コンテンツを標準方式ビデオ信号にダウンコンバートして送信する場合について、簡単に説明する。ここで、高精細度ビデオ信号とは、高精細テレビ（Ｈｉｇｈ  Ｄｅｆｉｎｉｔｉｏｎ  ＴｅｌｅＶｉｓｉｏｎ：ＨＤＴＶ）放送に用いられる信号であり、標準方式ビデオ信号とは、通常のテレビ（Ｓｔａｎｄａｒｄ  Ｄｅｆｉｎｉｔｉｏｎ  ＴｅｌｅＶｉｓｉｏｎ：ＳＤＴＶ）放送に用いられる信号である。
【００９７】
以下の説明に先立ち、本具体例に係る信号送信装置２０には、例えば放送局から高精細度ビデオ信号からなる画像コンテンツが提供され、記憶部２０１に記憶されているものとする。
【００９８】
まず、信号送信装置２０の第１変換部２０５は、記憶部２０１に記憶されている高精細度ビデオ信号からなる画像コンテンツを取得し、記憶部２０１に記憶されている制御情報データを参照して、変換元の第１の情報が高精細度ビデオ信号からなる画像コンテンツであることを認識する。続いて、第１変換部２０５は、高精細度ビデオ信号からなる画像コンテンツデータを、記憶部２０１から取得した制御情報データに基づいて、標準方式ビデオ信号からなる画像コンテンツへとダウンコンバートする。標準方式ビデオ信号への変換が完了すると、第１変換部２０５は、生成した標準方式ビデオ信号からなる画像コンテンツを、記憶部２０１に一時記憶する。
【００９９】
続いて、信号送信装置２０の重畳部２０７は、記憶部２０１に記憶されている制御情報データを参照しながら、第１の情報である高精細度ビデオ信号からなる画像コンテンツと、第２の情報である標準方式ビデオ信号からなる画像コンテンツとを比較して、第１変換部２０５による変換によって高精細度ビデオ信号からなる画像コンテンツから損失した損失情報を抽出する。重畳部２０７は、比較の結果、高精細度ビデオ信号からのダウンコンバートにより画質が低下していることを確認する。続いて、重畳部２０７は、記憶部２０１に記憶されている制御情報データを参照し、「高精細度ビデオ信号からのダウンコンバートによる情報である」旨を表す識別ＩＤおよびダウンコンバートされた画像コンテンツのノイズ除去処理に関する制御情報からなる構造体を、標準方式ビデオ信号からなる画像コンテンツの送信フォーマット部分に重畳する。構造体の重畳が完了すると、重畳部２０７は、構造体が重畳された標準方式ビデオ信号からなる画像コンテンツを記憶部２０１へと記憶するとともに、送信部２０９へと伝送する。
【０１００】
続いて、構造体が重畳された標準方式ビデオ信号からなる画像コンテンツは、信号送信装置２０の送信部２０９によって、信号受信装置３０に送信される。
【０１０１】
信号送信装置２０から送信された上記の画像コンテンツは、信号受信装置３０の受信部３０１により受信される。続いて、受信部３０１は、受信した画像コンテンツを記憶部３０９に記憶するとともに、第２変換部３０５と抽出部３０７とに伝送する。
【０１０２】
続いて、抽出部３０７は、記憶部３０９に記憶されている制御情報データを参照しながら受信部より伝送された画像コンテンツを解析して、画像コンテンツが標準方式ビデオ信号からなるコンテンツであること、および、識別ＩＤおよび制御情報からなる構造体が重畳されていることを認識する。本具体例の場合、抽出部３０７は、標準方式ビデオ信号からなる画像コンテンツから、元のコンテンツは高精細度ビデオ信号からなる画像コンテンツであった旨の情報と、画像コンテンツのノイズ除去処理に関する制御情報とを抽出することとなる。制御情報を抽出した後は、抽出部３０７は、抽出した制御情報を記憶部３０９に記憶するとともに、第２変換部３０５へと伝送する。
【０１０３】
次に、第２変換部３０５は、受信部３０１から伝送された標準方式ビデオ信号からなる画像コンテンツデータを、抽出部３０７から伝達された制御情報に基づいて変換する。本具体例の場合、信号受信装置３０が高精細度ビデオ信号を再生可能な装置であれば、第２変換部３０５は、抽出部３０７により抽出された制御情報に基づいて、標準方式ビデオ信号からなる画像コンテンツのノイズ除去処理を行い、画質の補正が行われた画像コンテンツへと変換する。変換が完了すると、第２変換部３０５は、画質補正が行われた画像コンテンツを記憶部３０９に記憶するとともに、出力部３１１へと伝送する。
【０１０４】
最後に、出力部３１１は、第２変換部が生成した第３の情報である画質補正が行われた画像コンテンツを再生し、信号受信装置３０の外部へと出力する。本具体例の場合では、画質補正が行われた画像コンテンツが、信号受信装置３０の画像表示機能を介して、信号受信装置３０の外部に出力される。
【０１０５】
以上のように、信号送信装置２０は、デジタル伝送路であるホームネットワーク１２に送出される信号に、元は高精細度ビデオ信号からなる画像コンテンツである旨の情報およびノイズ除去処理のための制御情報からなる構造体を重畳して送信し、信号受信装置３０は、重畳された構造体を参照して、画像コンテンツのノイズ除去処理を行うことが可能となる。
【０１０６】
なお、上記の具体例２では、第１の情報である高精細度ビデオ信号からなる画像コンテンツが、第２の情報である標準方式ビデオ信号からなる画像コンテンツへとダウンコンバートされる場合について説明したが、画像コンテンツの場合に限定されるわけではなく、例えば、ＳＡＣＤを音源とする音楽コンテンツが第１の情報であり、このＳＡＣＤを音源とする音楽コンテンツがダウンコンバートされて信号受信装置へと送信される場合に、音源がＳＡＣＤである旨を表す識別ＩＤおよび音質補正のための制御情報からなる構造体を、変換後のコンテンツデータに重畳して送信してもよい。
【０１０７】
（具体例４：第１の情報にスピーカ配置に関する情報が含まれる場合）
続いて、具体例４として、第1の情報に特殊なスピーカ配置に関する情報が含まれる場合について、簡単に説明する。
【０１０８】
以下の説明に先立ち、本具体例に係る信号送信装置２０には、特殊なスピーカ配置により作製されたコンテンツ（例えば、複数のスピーカのうち、ある１つのスピーカが天井に配置され、作製されたコンテンツ）が、記憶部２０１に記憶されているものとする。
【０１０９】
まず、信号送信装置２０の第１変換部２０５は、記憶部２０１に記憶されている特殊なスピーカ配置により作製されたコンテンツを取得し、記憶部２０１に記憶されている制御情報データを参照して、コンテンツをマルチチャンネルリニアオーディオデータへと変換する。マルチチャンネルリニアオーディオデータへの変換が完了すると、第１変換部２０５は、生成したマルチチャンネルリニアオーディオデータを、記憶部２０１に一時記憶する。
【０１１０】
続いて、信号送信装置２０の重畳部２０７は、記憶部２０１に記憶されている制御情報データを参照しながら、第１の情報である特殊なスピーカ配置により作製されたコンテンツと、第２の情報であるマルチチャンネルリニアオーディオデータとを比較して、第１変換部２０５による変換によって特殊なスピーカ配置により作製されたコンテンツから損失した損失情報を抽出する。重畳部２０７は、比較の結果、スピーカ配置に関する情報が失われていることを認識する。続いて、重畳部２０７は、記憶部２０１に記憶されている制御情報データを参照し、それぞれのスピーカ配置を表す識別ＩＤおよび特殊なスピーカ配置を再現するための制御情報からなる構造体を、マルチチャンネルリニアオーディオデータの送信フォーマット部分に重畳する。構造体の重畳が完了すると、重畳部２０７は、構造体が重畳されたマルチチャンネルリニアオーディオデータを記憶部２０１へと記憶するとともに、送信部２０９へと伝送する。
【０１１１】
続いて、構造体が重畳されたマルチチャンネルリニアオーディオデータは、信号送信装置２０の送信部２０９によって、信号受信装置３０に送信される。
【０１１２】
信号送信装置２０から送信された上記のマルチチャンネルリニアオーディオデータは、信号受信装置３０の受信部３０１により受信される。続いて、受信部３０１は、受信したオーディオデータを記憶部３０９に記憶するとともに、第２変換部３０５と抽出部３０７とに伝送する。
【０１１３】
続いて、抽出部３０７は、記憶部３０９に記憶されている制御情報データを参照しながら受信部より伝送されたデータを解析して、識別ＩＤおよび制御情報からなる構造体が重畳されていることを認識する。本具体例の場合、抽出部３０７は、マルチチャンネルリニアオーディオデータから、特殊なスピーカ配置により作製されたコンテンツである旨の情報と、特殊なスピーカ配置による音響効果を再現するための制御情報とを抽出することとなる。制御情報を抽出した後は、抽出部３０７は、抽出した制御情報を記憶部３０９に記憶するとともに、第２変換部３０５へと伝送する。
【０１１４】
次に、第２変換部３０５は、受信部３０１から伝送されたマルチチャンネルリニアオーディオデータを、抽出部３０７から伝送された制御情報に基づいて変換する。本具体例の場合、第２変換部３０５は、抽出部３０７により抽出された制御情報に基づいて、特殊なスピーカ配置による音響効果を再現するための処理を行い、スピーカ配置が再現されたコンテンツへと変換する。変換が完了すると、第２変換部３０５は、特殊なスピーカ配置による音響効果が再現されたコンテンツを記憶部３０９に記憶するとともに、出力部３１１へと伝送する。
【０１１５】
最後に、出力部３１１は、第２変換部が生成した第３の情報である特殊なスピーカ配置による音響効果が再現されたコンテンツを再生し、信号受信装置３０の外部へと出力する。本具体例の場合では、特殊なスピーカ配置による音響効果が再現されたコンテンツが、信号受信装置３０の複数のスピーカを介して、信号受信装置３０の外部に出力される。
【０１１６】
以上のように、信号送信装置２０は、デジタル伝送路であるホームネットワーク１２に送出される信号に、特殊なスピーカ配置により作製されたコンテンツである旨の情報および特殊なスピーカ配置による音響効果を再現するための制御情報からなる構造体を重畳して送信し、信号受信装置３０は、重畳された構造体を参照して、特殊なスピーカ配置による音響効果を再現することが可能となる。
【０１１７】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１１８】
例えば、上述した実施形態ではコンテンツが信号送信装置２０および信号受信装置３０のそれぞれの記憶部に一旦記憶される場合について説明したが、本発明は上記の例に限定されず、コンテンツのストリーミング再生にも適用可能である。
【０１１９】
また、上述した具体例２および３では、オリジナルのコンテンツをダウンコンバートした場合について説明したが、オリジナルのコンテンツをアップコンバートした場合についても適用可能である。このような場合では、オリジナルデータを拡張したという情報が、信号送信装置２０において変換が行われた際の損失情報となる。信号送信装置２０は、オリジナルデータを拡張したという情報を重畳してコンテンツを送信することで、信号受信装置３０においてオリジナルデータから拡張されたデータ形式である旨の表示を表示することが可能となったり、データの拡張によって生じる音質劣化等を補正する処理を行ったりすることが可能となる。
【図面の簡単な説明】
【０１２０】
【図１】本発明の好適な実施形態に係る信号処理システムを説明する説明図である。
【図２】同実施形態に係る信号送信装置を説明するためのブロック図である。
【図３】同実施形態に係る信号受信装置を説明するためのブロック図である。
【図４】同実施形態に係る信号送信装置がＬＦＥ信号に関する制御情報を重畳してコンテンツの送信を行う場合を説明するための流れ図である。
【図５】同実施形態に係る信号送信装置がＬＦＥ信号に関する制御情報を格納する箇所を説明するための説明図である。
【図６】同実施形態に係る信号受信装置がＬＦＥ信号に関する制御情報が重畳されたコンテンツの出力を行う場合を説明するための流れ図である。
【符号の説明】
【０１２１】
１０    信号処理システム
１２    ホームネットワーク
１４    記録媒体
１６    通信網
１８    コンテンツ提供装置
２０    信号送信装置
３０    信号受信装置
２０１    記憶部
２０３    制御部
２０５    第１変換部
２０７    重畳部
２０９    送信部
３０１    受信部
３０３    制御部
３０５    第２変換部
３０７    抽出部
３０９    記憶部
３１１    出力部
【図１】
2008117485.tif 000004
【図２】
2008117485.tif 000005
【図３】
2008117485.tif 000006
【図４】
2008117485.tif 000007
【図５】
2008117485.tif 000008
【図６】
2008117485.tif 000009